(57)【要約】【課題】携帯電話機は、着信を鳴動により報知する手段と共に、発光により報知するインジケータがフロントケース１に設けられる。通常、インジケータは、フロントケースの裏面側から挿入され、容易に取り外しができないように強固に取付けられる。このため、インジケータを取付けるための部品が必要で、構造も複雑なものとなっている。【解決手段】フロントケース１は、光を透過する透過性樹脂を成形加工したものである。ケース内にはプリント配線基板２上に発光素子としてのＬＥＤ５が設けられており、このＬＥＤ５が発する光が突出部１ａを通してフロントケースの一部から外部へ導光される。携帯電話機に着信があった場合、ＬＥＤ５が発光することにより、ユーザに着信を報知できる。ＬＥＤ５はプリント配線基板２上に実装されるものであり、特別な部品や複雑な構成を必要としない。【選択図】          図１
2004180068.tif 000002
【特許請求の範囲】
【請求項１】
ケース内に電子機器及び発光素子を内蔵するケース、このケースの一部を内部から外部へ光が透過可能に設け、上記発光素子の発光する光を透過する透明部分を備えてなる携帯端末。
【請求項２】
発光素子は、電子機器の動作に対応して発光することを特徴とする請求項１記載の携帯端末。
【発明の詳細な説明】
【０００１】
【発明の属する技術分野】
この発明は、携帯電話機等の携帯端末に関し、特にケース内に内蔵した発光素子の発光をケース外部へ導光する構造に関する。
【０００２】
【従来の技術】
携帯電話機にあっては、着信時、鳴動によりユーザーに着信を報知すると共に、ケースに取付けたインジケータを発光させ、発光によってもユーザーに着信を報知している。
【０００３】
インジケータはケースに設けられた挿入穴にケース内部から挿入され、簡単に外れないように強固な取付け構造によりケースに取付けられる。
【０００４】
また、各種電子部品を実装したプリント配線基板がケース内に収納固定されており、上記インジケータの取付け位置に対応するプリント配線基板上にはＬＥＤ等の発光素子が実装されている。
【０００５】
携帯電話機が着信したとき、ＬＥＤは点滅発光され、その発光がインジケータを通してケース外部に導光され、着信を報知する。
【０００６】
【特許文献】
特開平７−２７３８４６号公報
【０００７】
【発明が解決しようとする課題】
従来の携帯端末は、インジケータをケースに取付けているので、部品点数が多く、複雑な取付け構造になっていた。
【０００８】
この発明は、上述のような従来の課題に鑑みてなされたものであり、簡単な構造で発光素子の発光をケース外部へ導光できるようにすることを目的としている。
【０００９】
【課題を解決するための手段】
この発明の携帯端末は、ケース内に電子機器及び発光素子を内蔵するケース、このケースの一部を内部から外部へ光が透過可能に設け、上記発光素子の発光する光を透過する透明部分を設けたものである。
【００１０】
【発明の実施の形態】
実施の形態１．
以下、この発明の実施の形態１を図に基づいて説明する。
【００１１】
図１は、この発明の実施の形態１に係る携帯端末の断面構成図であり、携帯電話機のインジケータ部分及び表示画面部分を示している。
【００１２】
図において、１はフロントケースであり、光を透過する透過性樹脂を成型加工したものである。このフロントケース１は図示しないリアケースとでケースを構成するものであり、ケース内にはプリント配線基板２が収納されている。プリント配線基板２上には文字、画像を表示する液晶表示装置３が実装されており、液晶表示装置３に対向するフロントケース１には表示用の穴が形成され、該穴に透明材料からなる表示窓４が装着されている。プリント配線基板２の端部には着信を光の点滅で報知するＬＥＤ５を実装している。
【００１３】
フロントケース１の上記ＬＥＤ５に対抗する部分は内側がＬＥＤ５に向かって突出しており、ＬＥＤ５の発光をケース外部へ導光するようになっている。また、フロントケース１外側の上記ＬＥＤ５に対抗する部分を除く領域には、光を透過しない不透過塗装６が施されている。
【００１４】
即ち、携帯電話機の着信時、ＬＥＤ５は点滅発光される。この発光はフロントケース１の突出部１ａを通して外部へ投光される。これにより、ユーザーは光により着信を認識することができる。
【００１５】
この実施の形態１によれば、フロントケースの一部の構成をインジケータとして機能させているので、部品点数が少なくてすみ、構造も簡単にすることができる。
実施の形態２．
以下、この発明の実施の形態２を図に基づいて説明する。
【００１６】
図２は、この発明の実施の形態２に係る携帯端末の断面構成図であり、携帯電話機のインジケータ部分及び表示画面部分を示している。
【００１７】
図において、フロントケース１は２色成型で成型されており、突出部１ａは光を透過する透過性樹脂からなっており、その他のハッチングを施している部分は光を透過しない不透過性樹脂からなっている。また、フロントケース１外側には光を透過する透過塗装７が施されている。
【００１８】
即ち、携帯電話機の着信時、ＬＥＤ５は点滅発光される。この発光はフロントケース１の突出部１ａ、透過塗装７を通して外部へ投光される。これにより、ユーザーは光により着信を認識することができる。
【００１９】
この実施の形態２によれば、フロントケースの一部の構成をインジケータとして機能させているので、部品点数が少なくてすみ、構造も簡単にすることができる。
実施の形態３．
以下、この発明の実施の形態３を図に基づいて説明する。
【００２０】
図３は、この発明の実施の形態３に係る携帯端末の断面構成図であり、携帯電話機のインジケータ部分及び表示画面部分を示している。
【００２１】
図において、フロントケース１は光を透過する透過性樹脂からなっており、かつ、実施の形態１及び２の表示窓４の機能も具備している。フロントケース１外側のＬＥＤ５に対向する部分及び液晶表示装置３に対向する部分を除く領域には光を透過させない不透過塗装６が施されている。
【００２２】
即ち、携帯電話機の着信時、ＬＥＤ５は点滅発光される。この発光はフロントケース１の突出部１ａを通して外部へ投光される。これにより、ユーザーは光により着信を認識することができる。
【００２３】
また、液晶表示装置３の表示する文字、画像もフロントケース１を通して見ることができる。
【００２４】
この実施の形態３によれば、フロントケースの一部の構成をインジケータ及び表示窓として機能させているので、部品点数が少なくてすみ、構造も簡単にすることができる。
実施の形態４．
以下、この発明の実施の形態４を図に基づいて説明する。
【００２５】
図４は、この発明の実施の形態４に係る携帯端末の断面構成図であり、携帯電話機のインジケータ部分及び表示画面部分を示している。
【００２６】
図において、ＬＥＤ５は液晶表示装置３側に近接してプリント配線基板２上に実装されている。ケースの一部を構成する表示窓４は液晶表示装置３に対向する領域を超えてＬＥＤ５に対向する領域まで延長して構成している。そして、表示窓４外側のＬＥＤ５に対向する領域を除く周縁には、光を透過させない不透過塗装が施されている。
【００２７】
即ち、携帯電話機の着信時、ＬＥＤ５は点滅発光される。この発光は表示窓を通して外部へ投光される。これにより、ユーザーは光により着信を認識することができる。
【００２８】
この実施の形態４によれば、表示窓４の一部の構成をインジケータとして機能させているので、部品点数が少なくてすみ、構造も簡単にすることができる。
実施の形態５．
以下、この発明の実施の形態５を図に基づいて説明する。
【００２９】
図５は、この発明の実施の形態５に係る携帯端末の断面構成図であり、操作用のキーボタン部分を示している。
図において、８はキーボタンであり、下面が突出したキーラバー９上に貼り付けられている。キーボタン８はフロントケース１から一部が突出しており、光透過性樹脂からなるフロントケース１外側のキーボタン８周縁部には光を透過する透過塗装７が施され、その他の領域は光を透過しない不透過塗装６が施されている。
【００３０】
即ち、キーボタン８の周辺にはＬＥＤ等の発光素子（図示せず）が設けられており、該発光素子から発光した光はフロントケース１及び透過塗装７を通して外部へ投光される。
従って、ユーザーは暗い場所であってもキーボタンの位置が確認でき、キー操作が可能になる。
【００３１】
この実施の形態５によれば、キーボタン８周縁のフロントケース１を通して外部へ光を投光することができ、暗所でのキー操作を簡単な構成で可能にすることができる。
実施の形態６．
以下、この発明の実施の形態６を図に基づいて説明する。
【００３２】
図６は、この発明の実施の形態６に係る携帯端末の断面構成図であり、操作用のキーボタン部分を示している。
【００３３】
図において、フロントケース１は２色成型で成型されており、キーボタン８周縁部分は光を透過する透過性樹脂７であり、その他の部分は光を透過しない不透過性樹脂で成型されている。また、フロントケース１外側には光を透過する透過塗装が施されている。
【００３４】
即ち、キーボタン８の周辺にはＬＥＤ等の発光素子（図示せず）が設けられており、該発光素子から発光した光はフロントケース１の透過性樹脂７部分及び透過塗装７を通して外部へ投光される。
従って、ユーザーは暗い場所であってもキーボタンの位置が確認でき、キー操作が可能になる。
【００３５】
この実施の形態６によれば、キーボタン８周縁のフロントケース１を通して外部へ光を投光することができ、暗所でのキー操作を簡単な構成で可能にすることができる。
【００３６】
【発明の効果】
以上述べたように、この発明によれば、フロントケースの一部領域を通して外部へ投光するようにしたので、簡単な構造で発光素子の発光をケース外部へ導光できる効果がある。
【図面の簡単な説明】
【図１】この発明の実施の形態１に係る携帯端末の断面構成図である。
【図２】この発明の実施の形態２に係る携帯端末の断面構成図である。
【図３】この発明の実施の形態３に係る携帯端末の断面構成図である。
【図４】この発明の実施の形態４に係る携帯端末の断面構成図である。
【図５】この発明の実施の形態５に係る携帯端末の断面構成図である。
【図６】この発明の実施の形態６に係る携帯端末の断面構成図である。
【符号の説明】
１  フロントケース、  ２  プリント配線基板、  ３  液晶表示装置、  ５  ＬＥＮ、  ６  不透過塗装、  ７  透過塗装
【図１】
2004180068.tif 000003
【図２】
2004180068.tif 000004
【図３】
2004180068.tif 000005
【図４】
2004180068.tif 000006
【図５】
2004180068.tif 000007
【図６】
2004180068.tif 000008